(57)【要約】【課題】意匠性を確保しつつ、配光を調整できるようにする。【解決手段】レンズ側本体部２０は、光源側本体部３０に対して周方向に回転可能に支持される。レンズ側本体部２０には、レンズホルダ２２が収納される。レンズ側本体部２０を周方向に回転させると、レンズホルダ２２のカムスリット２６内をカムピン３５が相対移動して、レンズホルダ２２が軸方向に移動する。【選択図】図３
2020155250.tif 000002
【特許請求の範囲】
【請求項１】
光源と、該光源の出射側に配置されたレンズと、該レンズを保持するレンズホルダとを備えた照明器具であって、
前記光源が設けられた光源側本体部と、
前記レンズホルダが収納された筒状のレンズ側本体部とを備え、
前記レンズ側本体部は、周方向に回転可能なように前記光源側本体部に支持され、
前記レンズホルダには、軸方向に対して斜めに延びるカムスリットが設けられ、
前記光源側本体部には、前記カムスリットに係合するカムピンを有するレバー部が設けられ、
前記レンズホルダは、前記レンズ側本体部の周方向の回転に伴って前記カムスリット内における前記カムピンの相対位置が変化することで、軸方向に移動可能となっている照明器具。
【請求項２】
請求項１において、
前記レンズ側本体部の内部には、軸方向に延びるガイド部材が少なくとも１つ設けられ、
前記レンズホルダの外周部には、前記ガイド部材に対して摺動可能に嵌め込まれたガイド溝部が設けられている照明器具。
【請求項３】
請求項２において、
前記ガイド部材は、前記レンズ側本体部の内周面から離れた位置で軸方向に沿って略平行に延びるガイド板と、該ガイド板の側縁部から該レンズ側本体部の内周面に向かって延びる側縁板とを有し、
前記レンズ側本体部の内周面は、前記光源に向かって先細となるように形成され、
前記側縁板は、前記レンズ側本体部の内周面に対応して、前記光源に向かって先細となるように形成されている照明器具。
【請求項４】
請求項１乃至３のうち何れか１つにおいて、
前記光源側本体部に設けられ、前記レンズ側本体部の軸方向への移動を規制する規制部と、
前記レンズ側本体部を前記規制部に向かって付勢する付勢部を備えた照明器具。
【発明の詳細な説明】
【技術分野】
【０００１】
本発明は、照明器具に関するものである。
【背景技術】
【０００２】
特許文献１には、円筒状の本体と、本体に取り付けられた光源と、レンズ焦点距離調整用の円筒状の回転体と、回転体に保持されたレンズと、回転体の回転をガイドするガイドピンとを備えた照明器具が開示されている。
【０００３】
ここで、本体の開口部には、開口部の奥行き方向に対して斜めに延びる穴が形成され、穴には、ガイドピンが嵌まっている。そして、回転体を周方向に回転させると、ガイドピンが穴に沿って相対的に移動して、回転体が本体の奥行き方向に移動する。これにより、光源とレンズとの距離が調整される。
【先行技術文献】
【特許文献】
【０００４】
【特許文献１】特開２０１２−２２１７６９号公報
【発明の概要】
【発明が解決しようとする課題】
【０００５】
しかしながら、特許文献１の発明では、ガイドピンや穴が本体の外部に露出しており、また、奥行き方向に移動した回転体が本体から飛び出してしまうことから、見栄えが悪く、意匠性が損なわれてしまう。
【０００６】
本発明は、かかる点に鑑みてなされたものであり、その目的は、意匠性を確保しつつ、配光を調整できるようにすることにある。
【課題を解決するための手段】
【０００７】
本発明は、光源と、該光源の出射側に配置されたレンズと、該レンズを保持するレンズホルダとを備えた照明器具を対象とし、次のような解決手段を講じた。
【０００８】
すなわち、第１の発明は、前記光源が設けられた光源側本体部と、前記レンズホルダが収納された筒状のレンズ側本体部とを備え、前記レンズ側本体部は、周方向に回転可能なように前記光源側本体部に支持され、前記レンズホルダには、軸方向に対して斜めに延びるカムスリットが設けられ、前記光源側本体部には、前記カムスリットに係合するカムピンを有するレバー部が設けられ、前記レンズホルダは、前記レンズ側本体部の周方向の回転に伴って前記カムスリット内における前記カムピンの相対位置が変化することで、軸方向に移動可能となっている。
【０００９】
第１の発明では、レンズ側本体部は、光源側本体部に対して周方向に回転可能に支持される。レンズ側本体部には、レンズホルダが収納される。レンズ側本体部を周方向に回転させると、レンズホルダのカムスリット内をカムピンが相対移動して、レンズホルダが軸方向に移動する。
【００１０】
このように、レンズ側本体部にレンズホルダを収納することで、レンズホルダのカムスリットやカムピンが人の目に触れることがない。また、レンズ側本体部の内部でレンズホルダを軸方向に移動させているので、レンズホルダがレンズ側本体部から飛び出すことがない。これにより、意匠性を確保しつつ、配光を調整することができる。
【００１１】
第２の発明は、第１の発明において、前記レンズ側本体部の内部には、軸方向に延びるガイド部材が少なくとも１つ設けられ、前記レンズホルダの外周部には、前記ガイド部材に対して摺動可能に嵌め込まれたガイド溝部が設けられている。
【００１２】
第２の発明では、レンズホルダは、ガイド部材に沿って軸方向に摺動可能となっている。これにより、レンズ側本体部を周方向に回転させたときに、レンズホルダをガイド部材に沿ってスムーズに移動させることができる。
【００１３】
第３の発明は、第２の発明において、前記ガイド部材は、前記レンズ側本体部の内周面から離れた位置で軸方向に沿って略平行に延びるガイド板と、該ガイド板の側縁部から該レンズ側本体部の内周面に向かって延びる側縁板とを有し、前記レンズ側本体部の内周面は、前記光源に向かって先細となるように形成され、前記側縁板は、前記レンズ側本体部の内周面に対応して、前記光源に向かって先細となるように形成されている。
【００１４】
第３の発明では、レンズ側本体部の内周面が、光源に向かって先細となっている。これにより、例えば、レンズ側本体部をアルミダイカストで成形する際に、レンズ側本体部の内周面に入り込んだ金型を、軸方向に沿って型抜きし易くなる。
【００１５】
また、ガイド部材の側縁板が、レンズ側本体部の内周面に対応して光源に向かって先細となっている。そのため、ガイド部材の側縁板をレンズ側本体部の内周面に当接させると、ガイド部材のガイド板が、レンズ側本体部の内周面から離れた位置で軸方向に沿って略平行に延びることとなる。
【００１６】
これにより、レンズホルダを、ガイド部材に沿って軸方向にスムーズに移動させることができる。また、ガイド板の側縁部に側縁板を設け、側縁板をレンズ側本体部の内周面に当接させるようにすれば、ガイド部材の剛性を高めることができる。
【００１７】
第４の発明は、第１乃至第３の発明のうち何れか１つにおいて、前記光源側本体部に設けられ、前記レンズ側本体部の軸方向への移動を規制する規制部と、前記レンズ側本体部を前記規制部に向かって付勢する付勢部を備えている。
【００１８】
第４の発明では、付勢部によって、レンズ側本体部が光源側本体部の規制部に向かって付勢されている。これにより、レンズ側本体部が光源側本体部に対してがたつくのを抑え、レンズ側本体部を周方向にスムーズに回転させることができる。
【発明の効果】
【００１９】
本発明によれば、意匠性を確保しつつ、配光を調整することができる。
【図面の簡単な説明】
【００２０】
【図１】本実施形態に係る照明器具の構成を示す側面図である。
【図２】レンズ側本体部の構成を示す正面断面図である。
【図３】レンズ側本体部の構成を示す平面断面図である。
【図４】レンズホルダの構成を示す斜視図である。
【図５】レンズを軸方向に後退させたときの図３相当図である。
【図６】レンズを軸方向に前進させたときの図３相当図である。
【図７】レンズ側本体部の内周面の形状を説明するための側面断面図である。
【図８】レンズ側本体部の構成を示す背面図である。
【図９】付勢部材の構成を示す斜視図である。
【図１０】レンズ側本体部を光源側本体部に取り付ける前の状態を示す側面断面図である。
【図１１】レンズ側本体部を光源側本体部に取り付けた状態を示す側面断面図である。
【発明を実施するための形態】
【００２１】
以下、本発明の実施形態を図面に基づいて説明する。なお、以下の好ましい実施形態の説明は、本質的に例示に過ぎず、本発明、その適用物或いはその用途を制限することを意図するものではない。
【００２２】
図１に示すように、照明器具１０は、例えば、天井面１に設置されるスポットライトである。照明器具１０は、設置部１１と、照明光を出射する灯具本体１５と、設置部１１と灯具本体１５とを連結する連結アーム１２とを備えている。
【００２３】
設置部１１は、内部に電源回路が収納された電源ボックスで構成されている。設置部１１は、天井面１に設けられた取付レール２に取り付けられている。取付レール２には、図示しない接点部が設けられている。設置部１１は、取付レール２に取り付けたときに接点部と電気的に接続される。設置部１１は、灯具本体１５に電力を供給する。
【００２４】
連結アーム１２は、灯具本体１５を回転可能に支持している。具体的に、連結アーム１２と灯具本体１５とは、ノブボルト１３によって締結されている。そして、ノブボルト１３を緩めることで、ノブボルト１３の軸部を中心に灯具本体１５を回転させ、灯具本体１５の姿勢を変更することができる。また、ノブボルト１３を締め付けることで、灯具本体１５を任意の姿勢のまま維持することができる。これにより、所定の方向に向けて照明光を出射することができる。
【００２５】
灯具本体１５は、レンズ側本体部２０と、光源側本体部３０とを有する。レンズ側本体部２０及び光源側本体部３０は、円筒状に形成され、軸方向に一列に並ぶように配置されている。
【００２６】
レンズ側本体部２０の内部には、光源３１と、光源３１の出射側に配置されたレンズ２１と、レンズ２１を保持するレンズホルダ２２とが配置されている。レンズ側本体部２０は、周方向に回転可能なように光源側本体部３０に支持されている。
【００２７】
詳しくは後述するが、レンズ側本体部２０を周方向に回転させると、ガイド部材２８（図３参照）に沿って、レンズ２１及びレンズホルダ２２が前方又は後方に移動する。これにより、照明光の焦点距離を変更することができる。
【００２８】
光源側本体部３０の前端部には、基台部３２が設けられている。基台部３２には、光源３１が取り付けられている。光源側本体部３０の外周部は、放熱フィン部３３を有する。光源３１で発生した熱は、放熱フィン部３３から放熱される。光源側本体部３０は、例えば、アルミダイカストによって形成されている。
【００２９】
光源３１は、ＬＥＤ（Light Emitting Diode）を有する発光モジュールで構成されている。光源３１は、例えば、白色光を出射するように構成されている。光源３１は、例えば、ＣＯＢ（Chip On Board）型のＬＥＤモジュールである。光源３１は、設置部１１の電源回路からの電力を受けて照明光を出射する。
【００３０】
図２及び図３に示すように、レンズ側本体部２０の内部には、軸方向に延びるガイド部材２８が設けられている。ガイド部材２８は、周方向に間隔をあけて３つ設けられている。
【００３１】
ガイド部材２８は、レンズ側本体部２０の内周面から離れた位置で軸方向に沿って略平行に延びるガイド板２８ａと、ガイド板２８ａの側縁部からレンズ側本体部２０の内周面に当接するように延びる側縁板２８ｂとを有する。
【００３２】
図４にも示すように、レンズホルダ２２は、円筒状のホルダ本体２３と、ホルダ本体２３の外周縁に沿って延び且つ後方に張り出したカム部２５とを有する。ホルダ本体２３には、レンズ２１が保持されている。ホルダ本体２３の外周部には、ガイド溝部２４が設けられている。
【００３３】
ガイド溝部２４は、周方向に間隔をあけて３つ設けられている。ガイド溝部２４は、ガイド部材２８に対して摺動可能に嵌め込まれている。これにより、レンズホルダ２２は、ガイド部材２８に沿って軸方向に移動可能となっている。
【００３４】
カム部２５には、軸方向に対して斜めに延びるカムスリット２６が形成されている。カムスリット２６は、図３で左端部よりも右端部が前方に位置するように傾斜している。カム部２５には、カムピン３５が係合されている。カムピン３５は、レバー部３６に保持されている。レバー部３６は、光源側本体部３０に取り付けられている。
【００３５】
図３に示すように、レンズ側本体部２０の後端部には、フランジ部２０ａが設けられている。フランジ部２０ａは、レンズ側本体部２０の外周壁から径方向内側に張り出している。フランジ部２０ａは、光源側本体部３０と規制リング３７（規制部）との間に挟み込まれている。
【００３６】
規制リング３７の外周縁部は、フランジ部２０ａの内周縁部に当接している。規制リング３７は、締結ボルト３８によって光源側本体部３０に締結されている。これにより、レンズ側本体部２０の軸方向への移動が、規制リング３７によって規制されている。
【００３７】
また、レンズ側本体部２０は、光源側本体部３０と規制リング３７との間にフランジ部２０ａが挟み込まれることで、周方向に回転可能に支持されている。ここで、レンズ側本体部２０を周方向に回転させると、レンズホルダ２２のカムスリット２６内におけるカムピン３５の相対位置が変化する。
【００３８】
具体的に、図５に示すように、レンズ側本体部２０を左向きに回転させると、カムピン３５は、右方向に相対移動する。ここで、カムスリット２６は、図５で右斜め前方に向かって傾斜している。そのため、カムピン３５がカムスリット２６内を右方向に相対移動すると、カム部２５が後方に引っ張られ、レンズホルダ２２が後方に移動することとなる。これにより、照明光が広角配光となる。
【００３９】
一方、図６に示すように、レンズ側本体部２０を右向きに回転させると、カムピン３５は、左方向に相対移動する。ここで、カムスリット２６は、図６で右斜め前方に向かって傾斜している。そのため、カムピン３５がカムスリット２６内を左方向に相対移動すると、カム部２５が前方に押し出され、レンズホルダ２２が前方に移動することとなる。これにより、照明光が狭角配光となる。
【００４０】
本実施形態の照明器具１０では、レンズ側本体部２０の内部にレンズホルダ２２を収納しているので、レンズホルダ２２のカムスリット２６やカムピン３５が人の目に触れることがない。また、レンズ側本体部２０の内部でレンズホルダ２２を軸方向に移動させているので、レンズホルダ２２がレンズ側本体部２０から飛び出すことがない。これにより、意匠性を確保しつつ、配光を調整することができる。
【００４１】
図７に示すように、レンズ側本体部２０の内周面は、光源３１に向かって先細となるように形成されている。具体的に、レンズ側本体部２０の前端側の内径をｄ１、後端側の内径をｄ２とすると、ｄ１＞ｄ２となっている。また、ガイド部材２８の側縁板２８ｂは、レンズ側本体部２０の内周面に対応して、光源３１に向かって先細となるように形成されている。
【００４２】
これにより、例えば、レンズ側本体部２０をアルミダイカストで成形する際に、レンズ側本体部２０の内周面に入り込んだ金型を、軸方向に沿って型抜きし易くなる。
【００４３】
図８に示すように、レンズ側本体部２０のフランジ部２０ａは、付勢部材４０によって規制リング３７に向かって付勢されている。付勢部材４０は、周方向に間隔をあけて３つ設けられている。
【００４４】
図９にも示すように、付勢部材４０は、光源側本体部３０に向かって折り曲げられた一対の取付片４１と、レンズ側本体部２０に向かって折り曲げられた一対のバネ片４２とを有する。
【００４５】
図１０及び図１１に示すように、付勢部材４０は、レンズ側本体部２０と光源側本体部３０との間に挟み込まれることで、レンズ側本体部２０を規制リング３７に向かって付勢するものである。
【００４６】
具体的に、図１０に示すように、付勢部材４０の取付片４１は、光源側本体部３０に取り付けられている。付勢部材４０のバネ片４２は、レンズ側本体部２０のフランジ部２０ａに対向している。
【００４７】
規制リング３７は、フランジ部２０ａを挟んで光源側本体部３０に対向するように配置されている。規制リング３７には、挿通孔３７ａが形成されている。光源側本体部３０には、挿通孔３７ａに対応してネジ孔３０ａが形成されている。
【００４８】
そして、規制リング３７の外周縁部をフランジ部２０ａの内周縁部に当接させるとともに、締結ボルト３８の軸部を挿通孔３７ａに挿通させてネジ孔３０ａにネジ止めする。これにより、規制リング３７が光源側本体部３０に固定される。
【００４９】
このとき、図１１に示すように、付勢部材４０のバネ片４２は、フランジ部２０ａによって押圧されて弾性変形する。フランジ部２０ａは、付勢部材４０の付勢力によって、規制リング３７に向かって付勢されている。
【００５０】
これにより、レンズ側本体部２０が光源側本体部３０に対してがたつくのを抑え、レンズ側本体部２０を周方向にスムーズに回転させることができる。
【産業上の利用可能性】
【００５１】
以上説明したように、本発明は、意匠性を確保しつつ、配光を調整することができるという実用性の高い効果が得られることから、きわめて有用で産業上の利用可能性は高い。
【符号の説明】
【００５２】
１０    照明器具
２０    レンズ側本体部
２１    レンズ
２２    レンズホルダ
２４    ガイド溝部
２６    カムスリット
２８    ガイド部材
２８ａ  ガイド板
２８ｂ  側縁板
３０    光源側本体部
３１    光源
３５    カムピン
３６    レバー部
３７    規制リング（規制部）
４０    付勢部材（付勢部）
【図１】
2020155250.tif 000003
【図２】
2020155250.tif 000004
【図３】
2020155250.tif 000005
【図４】
2020155250.tif 000006
【図５】
2020155250.tif 000007
【図６】
2020155250.tif 000008
【図７】
2020155250.tif 000009
【図８】
2020155250.tif 000010
【図９】
2020155250.tif 000011
【図１０】
2020155250.tif 000012
【図１１】
2020155250.tif 000013